(57)【要約】【課題】一つの動作のみでヒンジを連結することができるため、開き扉を筐体に組付ける際の作業負担を低減することが可能となる、収納家具、及び、家具用ヒンジを提供する。【解決手段】ロッカー１は、開き扉３が筐体の開口部にヒンジ４を介して連結され、ヒンジ４におけるヒンジ本体４ａは、ケース部材４１と、ケース部材４１の内部に収容される圧縮ばね４３と、圧縮ばね４３に当接した状態でケース部材４１に収容される軸部材４４と、規制部４２ｂを有してケース部材４１に固定される規制部材４２と、を備え、固定板４ｂには固定孔４ｈが開口され、ヒンジ本体４ａは、固定板４ｂとの連結状態において、規制部４２ｂが固定板４ｂにより退避されることにより、軸部材４４の軸方向変位の規制が解除されて、軸部材４４が圧縮ばね４３の弾性力により軸方向に変位して固定孔４ｈに挿通される。【選択図】図２
2020094476.tif 000002
【特許請求の範囲】
【請求項１】
筐体の内部に設けた収納空間の開口部を開き扉で開閉する構造の収納家具において、
前記開き扉は、前記筐体の前記開口部にヒンジを介して連結され、
前記ヒンジは、前記開口部と前記開き扉とのうち何れか一方において固定される固定板と、何れか他方に固定されるヒンジ本体と、を備えるとともに、前記固定板と前記ヒンジ本体とが分離する分離状態と、前記固定板と前記ヒンジ本体とが回動可能に連結される連結状態と、の間で遷移可能とされ、
前記ヒンジ本体は、ケース部材と、前記ケース部材の内部に収容される弾性部材と、前記弾性部材に当接した状態で前記ケース部材に収容される軸部材と、規制部を有して前記ケース部材に固定される規制部材と、を備え、
前記固定板には、前記ヒンジ本体の前記軸部材が挿通される固定孔が開口され、
前記規制部は、前記弾性部材を弾性変形させた状態の前記軸部材の軸方向変位を規制する規制位置と、前記規制位置から退避した退避位置と、に変位可能とされ、
前記ヒンジは、
分離状態において、前記規制部が規制位置に位置することにより、前記軸部材の軸方向変位が規制され、
連結状態において、前記規制部が前記固定板により退避位置に変位されることにより、前記軸部材の軸方向変位の規制が解除されて、前記軸部材が前記弾性部材の弾性力により軸方向に変位して前記固定孔に挿通される、収納家具。
【請求項２】
前記固定板が前記開口部に固定され、前記ヒンジ本体が前記開き扉に固定され、
前記開き扉には、板金を折り曲げた折り返し部が形成され、
前記折り返し部には、被係合部が形成され、
前記ヒンジ本体には、係合爪が形成され、
前記係合爪が前記被係合部に係合されることにより、前記ヒンジ本体が前記開き扉に固定される、請求項１に記載の収納家具。
【請求項３】
前記固定板は水平面と平行な姿勢で前記開口部に固定され、
前記ケース部材には、前記固定板を挿入可能な溝部が形成され、
前記ヒンジは連結状態において、前記固定板が前記溝部に挿入され、前記固定板の上面が前記溝部の内周面を支持する、請求項１又は請求項２に記載の収納家具。
【請求項４】
筐体の開口部を開き扉で開閉する構造の家具において、前記開き扉を前記筐体の前記開口部に回動可能に連結する、家具用ヒンジであって、
前記開口部と前記開き扉とのうち何れか一方において固定される固定板と、何れか他方に固定されるヒンジ本体と、を備えるとともに、前記固定板と前記ヒンジ本体とが分離する分離状態と、前記固定板と前記ヒンジ本体とが回動可能に連結される連結状態と、の間で遷移可能とされ、
前記ヒンジ本体は、ケース部材と、前記ケース部材の内部に収容される弾性部材と、前記弾性部材に当接した状態で前記ケース部材に収容される軸部材と、規制部を有して前記ケース部材に固定される規制部材と、を備え、
前記固定板には、前記ヒンジ本体の前記軸部材が挿通される固定孔が開口され、
前記規制部は、前記弾性部材を弾性変形させた状態の前記軸部材の軸方向変位を規制する規制位置と、前記規制位置から退避した退避位置と、に変位可能とされ、
分離状態において、前記規制部が規制位置に位置することにより、前記軸部材の軸方向変位が規制され、
連結状態において、前記規制部が前記固定板により退避位置に変位されることにより、前記軸部材の軸方向変位の規制が解除されて、前記軸部材が前記弾性部材の弾性力により軸方向に変位して前記固定孔に挿通される、家具用ヒンジ。
【発明の詳細な説明】
【技術分野】
【０００１】
本発明は収納家具、及び、家具用ヒンジに関し、詳細には収納家具の組み立てやすさを向上させる技術に関するものである。
【背景技術】
【０００２】
従来、一つの筐体の内部を板材で仕切って複数の収納空間を設け、収納空間の前側開口部を開き扉で開閉する構造の単位収納庫を複数設けた収納家具が用いられている。そして、このような収納家具において、開き扉を筐体に対して回動可能に連結するためのヒンジ構造が知られている（例えば、特許文献１を参照）。
【先行技術文献】
【特許文献】
【０００３】
【特許文献１】特開２０１２−０４１７９８号公報
【発明の概要】
【発明が解決しようとする課題】
【０００４】
上記特許文献１に記載の収納家具によれば、平板とヒンジ本体とを有する二個のヒンジ構造を介して、開き扉と筐体とを連結している。この際、平板を筐体に固定し、ヒンジ本体を開き扉に固定した状態で、平板に対してヒンジ本体を回動可能に組付けることにより、開き扉と筐体とを連結する。
【０００５】
上記の如く構成した収納家具において、平板とヒンジ本体とを連結する際には、平板をヒンジ本体に挿入する動作と、ヒンジ軸を平板及びヒンジ本体に挿入する動作と、の二つの動作を連続して行う必要がある。これらの作業は開き扉を支持しながら行う必要があるため、開き扉の組付け作業には熟練した技術が必要であった。即ち、従来技術においては、開き扉を筐体に組付ける際の作業負担が大きくなっていた。
【０００６】
本発明は以上の如き状況に鑑みてなされたものであり、本発明が解決しようとする課題は、一つの動作のみでヒンジを連結することができるため、開き扉を筐体に組付ける際の作業負担を低減することが可能となる、収納家具、及び、家具用ヒンジを提供することである。
【課題を解決するための手段】
【０００７】
本発明は、上記課題を解決するために、以下に構成する収納家具を提供する。
【０００８】
（１）筐体の内部に設けた収納空間の開口部を開き扉で開閉する構造の収納家具において、前記開き扉は、前記筐体の前記開口部にヒンジを介して連結され、前記ヒンジは、前記開口部と前記開き扉とのうち何れか一方において固定される固定板と、何れか他方に固定されるヒンジ本体と、を備えるとともに、前記固定板と前記ヒンジ本体とが分離する分離状態と、前記固定板と前記ヒンジ本体とが回動可能に連結される連結状態と、の間で遷移可能とされ、前記ヒンジ本体は、ケース部材と、前記ケース部材の内部に収容される弾性部材と、前記弾性部材に当接した状態で前記ケース部材に収容される軸部材と、規制部を有して前記ケース部材に固定される規制部材と、を備え、前記固定板には、前記ヒンジ本体の前記軸部材が挿通される固定孔が開口され、前記規制部は、前記弾性部材を弾性変形させた状態の前記軸部材の軸方向変位を規制する規制位置と、前記規制位置から退避した退避位置と、に変位可能とされ、前記ヒンジは、分離状態において、前記規制部が規制位置に位置することにより、前記軸部材の軸方向変位が規制され、連結状態において、前記規制部が前記固定板により退避位置に変位されることにより、前記軸部材の軸方向変位の規制が解除されて、前記軸部材が前記弾性部材の弾性力により軸方向に変位して前記固定孔に挿通される、収納家具。
【０００９】
（２）前記固定板が前記開口部に固定され、前記ヒンジ本体が前記開き扉に固定され、前記開き扉には、板金を折り曲げた折り返し部が形成され、前記折り返し部には、被係合部が開口され、前記ヒンジ本体には、係合爪が形成され、前記係合爪が前記被係合部に係合されることにより、前記ヒンジ本体が前記開き扉に固定される、（１）に記載の収納家具。
【００１０】
（３）前記固定板は水平面と平行な姿勢で前記開口部に固定され、前記ケース部材には、前記固定板を挿入可能な溝部が形成され、前記ヒンジは連結状態において、前記固定板が前記溝部に挿入され、前記固定板の上面が前記溝部の内周面を支持する、（１）又は（２）に記載の収納家具。
【００１１】
また、本発明は、上記課題を解決するために、以下に構成する家具用ヒンジを提供する。
【００１２】
（４）筐体の開口部を開き扉で開閉する構造の家具において、前記開き扉を前記筐体の前記開口部に回動可能に連結する、家具用ヒンジであって、前記開口部と前記開き扉とのうち何れか一方において固定される固定板と、何れか他方に固定されるヒンジ本体と、を備えるとともに、前記固定板と前記ヒンジ本体とが分離する分離状態と、前記固定板と前記ヒンジ本体とが回動可能に連結される連結状態と、の間で遷移可能とされ、前記ヒンジ本体は、ケース部材と、前記ケース部材の内部に収容される弾性部材と、前記弾性部材に当接した状態で前記ケース部材に収容される軸部材と、規制部を有して前記ケース部材に固定される規制部材と、を備え、前記固定板には、前記ヒンジ本体の前記軸部材が挿通される固定孔が開口され、前記規制部は、前記弾性部材を弾性変形させた状態の前記軸部材の軸方向変位を規制する規制位置と、前記規制位置から退避した退避位置と、に変位可能とされ、分離状態において、前記規制部が規制位置に位置することにより、前記軸部材の軸方向変位が規制され、連結状態において、前記規制部が前記固定板により退避位置に変位されることにより、前記軸部材の軸方向変位の規制が解除されて、前記軸部材が前記弾性部材の弾性力により軸方向に変位して前記固定孔に挿通される、家具用ヒンジ。
【発明の効果】
【００１３】
以上における本発明に係る収納家具は、以下に示す効果を奏する。
【００１４】
（１）の構成によれば、一つの動作のみでヒンジを連結することができるため、開き扉を筐体に組付ける際の作業負担を低減することが可能となる。
【００１５】
（２）の構成によれば、ヒンジ本体を開き扉に対して容易に組付けることができる。
【００１６】
（３）の構成によれば、ヒンジによる開き扉の支持強度を高めることができる。
【００１７】
また、以上における本発明に係る家具用ヒンジは、以下に示す効果を奏する。
【００１８】
（４）の構成によれば、一つの動作のみでヒンジを連結することができるため、開き扉を筐体に組付ける際の作業負担を低減することが可能となる。
【図面の簡単な説明】
【００１９】
【図１】本発明の一実施形態に係る収納家具を示す斜視図。
【図２】開き扉の連結構造を示す斜視図。
【図３】単位収納庫の内部構造を示す平面図。
【図４】開き扉を示す背面斜視図。
【図５】開き扉へのヒンジ本体の組付構造を示す背面斜視図。
【図６】開き扉への扉トレイの組付構造を示す背面斜視図。
【図７】（ａ）及び（ｂ）はそれぞれヒンジの構造を示す前面斜視図及び後面斜視図、（ｃ）はケース部材に対する規制部材の固定状態を示す断面図。
【図８】連結前のヒンジの構造を示す断面図。
【図９】連結後のヒンジの構造を示す断面図。
【図１０】開き扉を示す正面図。
【図１１】（ａ）及び（ｂ）は扉トレイを示す後面斜視図及び前面斜視図。
【図１２】（ａ）はラッチ受部材の組付構造を示した斜視図、（ｂ）は扉支持部材の組付構造を示した斜視図。
【図１３】ラッチ受部材と扉支持部材とによる開き扉の支持構造を示した内側面図。
【図１４】別実施例に係る収納家具におけるヒンジの構造を示す前面斜視図。
【図１５】（ａ）は別実施例に係る収納家具におけるヒンジの構造を示す後面斜視図、（ｃ）はケース部材に対する規制部材の固定状態を示す断面図。
【図１６】別実施例に係る収納家具における連結前のヒンジの構造を示す断面図。
【図１７】別実施例に係る収納家具における連結後のヒンジの構造を示す断面図。
【図１８】（ａ）及び（ｂ）はそれぞれ、別実施例に係る収納家具における連結前及び連結後のヒンジの構造を示す平面断面図。
【発明を実施するための形態】
【００２０】
図１から図１３を用いて、本発明に係る収納家具の一実施形態であるロッカー１について説明する。以下では、ロッカー１に対向する使用者の視点によりロッカー１の左右方向を規定する。即ち、ロッカー１に対向する使用者の右側（図１における右上側）をロッカー１における右側方とする。また、ロッカー１における使用者側（図１における右下側）をロッカー１の前方とする。
【００２１】
本実施形態に係るロッカー１は、単位収納庫２を複数備えた多段式のパーソナルロッカーとして構成されている。即ち、ロッカー１は、例えばオフィス内でロッカー１を使用する複数の使用者ごとに、書類、書籍、及び、携帯電話やモバイルコンピュータ等などを内部に収容して保管するために用いられる。
【００２２】
図１から図３に示す如く、ロッカー１は、天板１１、ベース部材１２、側板１３、及び背板１４で形成される一つの筐体の内部を板材で仕切ることにより、複数の収納空間Ｓが形成される。ロッカー１には、それぞれの収納空間Ｓの前側開口部を開き扉３で開閉する構造の単位収納庫２が複数個設けられる。
【００２３】
本実施形態に係るロッカー１においては、側板１３の一形態である内側板１３ｉで筐体を左右方向に仕切ることにより、単位収納庫２が左右方向に二個隣接して配置される。また、ロッカー１は筐体を底板１５で上下方向に仕切ることにより、単位収納庫２が上下方向に三段に重ねて配置される。即ち、ロッカー１には図１に示す如く合計六個の単位収納庫２が形成される。それぞれの単位収納庫２の構成は配置箇所を除いて同様に構成される。以下では、図１及び図２に示す如く、左上に配置される単位収納庫２の構成を中心に説明する。
【００２４】
なお、本発明に係る収納家具は、一つの筐体の内部に収納空間を設ける構成であれば良く、単位収納庫の個数を１個として構成しても差し支えない。また、ロッカー１における単位収納庫２の配置方法は本実施形態に限定されるものではなく、左右方向に三個以上で並べたり、上下方向に四段以上で重ねたりしても差し支えない。
【００２５】
本実施形態に係るロッカー１において、筐体を構成する部材（天板１１、ベース部材１２、側板１３、及び、背板１４）、開き扉３、筐体の内部を仕切る内側板１３ｉ、底板１５等の板材は、スチール製の板金を適宜折り曲げることにより構成されている。なお、後述する他の部材である棚部材２１、ペントレイ２２、扉トレイ２３等は樹脂製部材で構成される。
【００２６】
開き扉３は、開き扉３の吊元側に設けられる上下二個のヒンジ４を介して筐体に組付けられる。ヒンジ４は本発明に係る家具用ヒンジの一実施形態である。詳細には図２に示す如く、ヒンジ４は開き扉３に固定されるヒンジ本体４ａと、筐体に溶接等により固定される固定板４ｂとで構成される。底板１５の前側には前框部１６が設けられ、天板１１及び前框部１６のそれぞれの前面に固定板４ｂが水平面と平行な姿勢で固定される。固定板４ｂには、ヒンジ本体４ａに設けられた軸部材４４が挿通される固定孔４ｈが開口されている（図８及び図９を参照）。なお、ヒンジ４については本実施形態と逆に、開き扉３に固定板４ｂを固定し、筐体にヒンジ本体４ａを固定する構成としても差し支えない。
【００２７】
ヒンジ４は、固定板４ｂとヒンジ本体４ａとが分離する分離状態（図８を参照）と、固定板４ｂとヒンジ本体４ａとが回動可能に連結される連結状態（図９を参照）と、の間で遷移可能とされる。そして、開き扉３の上下に設けられた二個のヒンジ本体４ａが、収納空間Ｓの前側開口部において上下に設けられた二枚の固定板４ｂに対してそれぞれ回動可能に連結されることにより、単位収納庫２において開き扉３が開閉可能に組付けられる。
【００２８】
本実施形態に係るロッカー１において、それぞれの単位収納庫２には開き扉３が同じ方向に開くように設けられる。具体的には図１に示すごとく、全ての開き扉３は右側に設けられた吊元がヒンジ４により筐体に連結されている。即ち、ロッカー１は、使用者が開き扉３を上面視で反時計回りに回動させることにより単位収納庫２が開き、開き扉３を上面視で時計回りに回動させることにより単位収納庫２が閉じるように構成されている。
【００２９】
開き扉３の戸先側端部における上下方向中央部には、ダイヤル式のロック部材５が設けられる。本実施形態に係るロッカー１において、ロック部材５にはダイヤル錠が採用されているが、ロック部材としてシリンダ錠、プッシュボタン錠、又は、ＩＣカード錠を採用することも可能である。ロック部材５にはラッチ６が設けられる。ロック部材５の上側には扉支持部材８が固定される。開き扉３が単位収納庫２を閉塞する際には、ラッチ６は側板１３の前側端部に固定されたラッチ受部材７と係合する。
【００３０】
開き扉３の上部には、左右に長手方向を有する長孔である投函口３ｗが開き扉３を貫通して開口されている。単位収納庫２において開き扉３が閉塞されている際には、この投函口３ｗを介して郵便物や書類等を収納空間Ｓの内部に投入することができる。投函口３ｗから投入された郵便物等は、開き扉３の後面（収納空間Ｓ側の面）に設けられた扉トレイ２３の内側に落下する。単位収納庫２の使用者は、開き扉３を開いてから扉トレイ２３の内部にある郵便物等を取り出すことができる。
【００３１】
図１から図３に示す如く、単位収納庫２の内部には左右方向に長い長方形状のペントレイ２２が設けられる。詳細には図２に示す如く、底板１５における開口部側（前側）には、単位収納庫２の収納空間Ｓと、単位収納庫２の下方に位置する空間（本実施形態においては、直下の単位収納庫２の収納空間）と、を連通する孔部１５ｃが開口されている。そして、図１に示す如く、底面が下方に膨出するペントレイ２２が孔部１５ｃに挿入される。
【００３２】
ペントレイ２２は孔部１５ｃに嵌め殺しにより固定されており、容易に取り外すことができないように構成されている。即ち、使用者がペントレイ２２を取り外して上下に重なる他の単位収納庫２の内部を視認することができないように構成されている。
【００３３】
図１及び図３に示す如く、単位収納庫２における収納空間Ｓの内部後方には棚部材２１が収容される。本実施形態における棚部材２１は、棚板部と、棚板部の左右両側に連結される二枚の脚部と、で構成されている。棚部材２１における脚部の下端部が、底板１５における左右両端部にそれぞれ二個ずつ開口された係合孔１５ｂと係合する。これにより、棚部材２１が単位収納庫２の内部で固定される。
【００３４】
なお、本実施形態においては、単位収納庫２に一個の棚部材２１が収容される構成としたが、単位収納庫２に棚部材２１を設けない構成や、単位収納庫２の内部に複数の棚部材２１を積み重ねて配置する構成とすることも可能である。
【００３５】
図１及び図３に示す如く、本実施形態に係るロッカー１において、単位収納庫２の内側板１３ｉ（側板１３）における開き扉３の吊元近傍に、単位収納庫２の内側に面する、電源供給用の接続ユニット３０が設けられている。本実施形態において、全ての開き扉３は右側の吊元がヒンジ４により筐体に連結されているため、接続ユニット３０は単位収納庫２において右側に位置する内側板１３ｉ又は側板１３に設けられる。より詳細には、左側に位置する単位収納庫２では、接続ユニット３０は内側板１３ｉに設けられる。一方、右側に位置する単位収納庫２では、接続ユニット３０は右側の側板１３に設けられる（図３を参照）。
【００３６】
接続ユニット３０は、板金を折り曲げて形成した中空形状のケース部３１と、ケース部３１に固定される接続部であるコンセント３２とで構成される。ケース部３１は、底板１５に開口されたケース固定孔１５ａに固定される。本実施形態において、接続ユニット３０の接続部は電源供給用のコンセント３２として構成されているが、接続部に例えばＵＳＢ端子のコネクタを設けることにより、接続ユニット３０を情報通信用として構成することも可能である。また、接続部にコンセント３２とコネクタの両方を設けることにより、接続ユニット３０を電源供給用及び情報通信用として構成することもできる。
【００３７】
図４から図６に示す如く、ヒンジ４を構成するヒンジ本体４ａは開き扉３の後面右側における上下の隅部にそれぞれ固定される。上側に設けられるヒンジ本体４ａと下側に設けられるヒンジ本体４ａとは上下対称となるように構成されている。開き扉３は、四辺が折り曲げられることにより四つの端面３ａが形成され、端面３ａが更に折り曲げられることにより折り返し部３ｂが形成される。図５に示す如く、上辺及び下辺の折り返し部３ｂには、右端部近くに第一被係合部である被係合孔３ｃが開口される。また、右辺の折り返し部３ｂには、上下それぞれの端部近くに第二被係合部である被係合突起３ｄが形成される。
【００３８】
一方、ヒンジ本体４ａにおいては図５及び図７（ｂ）に示す如く、ヒンジ本体４ａを構成するケース部材４１に第一係合爪４１ａ及び第二係合爪４１ｂが形成されている。そして、ヒンジ本体４ａが図５中の矢印に示す如く開き扉３の後面における隅部に挿入される。これにより、第一係合爪４１ａが被係合孔３ｃに係合され、第二係合爪４１ｂが被係合突起３ｄに係合され、ヒンジ本体４ａが開き扉３に固定される。
【００３９】
本実施形態に係るロッカー１においては上記の如く、係合爪である第一係合爪４１ａ及び第二係合爪４１ｂと、被係合部である被係合孔３ｃ及び被係合突起３ｄとを係合させて、ヒンジ本体４ａを開き扉３に固定する構成としている。これにより、ねじ等の固定部材を用いることなく、ヒンジ本体４ａを開き扉３に容易に組付けることが可能となる。
【００４０】
図７（ａ）及び（ｂ）は開き扉３の上側に設けられるヒンジ本体４ａを示している。図７（ｃ）は、軸部材４４の軸心方向と直交する断面でヒンジ本体４ａを切断した断面図である。なお、開き扉３の下側に設けられるヒンジ本体４ａについては、上下の構成が逆になっている以外は上側のヒンジ本体４ａと同様に構成されているため、詳細な説明を省略する。図７（ａ）及び（ｂ）に示す如く、ヒンジ本体４ａは、樹脂製のケース部材４１と、ケース部材４１の内部に収容される弾性部材である圧縮ばね４３と、一端部（図８及び図９における下端部）が圧縮ばね４３に当接した状態でケース部材４１に収容される軸部材４４と、規制部４２ｂを有してケース部材４１に固定される樹脂製の規制部材４２と、を備えている。
【００４１】
ケース部材４１には、圧縮ばね４３及び軸部材４４を収容するための軸挿入孔４１ｃが上下方向に形成されている。また、ケース部材４１には規制部材４２の固定軸４２ｃを挿入するための被挿入孔４１ｄが形成されている。また、図７（ｃ）に示す如く、ケース部材４１の上下方向中途部には、規制部材４２の係止部４２ａと係合する二個の支持部４１ｅ・４１ｅが形成されている。また、ケース部材４１において第一係合爪４１ａが形成される面には、溝部である固定板挿入溝４１ｆが形成される。固定板挿入溝４１ｆは、図８及び図９に示す如く、ケース部材４１の内部で軸挿入孔４１ｃと連通している。
【００４２】
規制部材４２をケース部材４１に固定する際には、ケース部材４１における支持部４１ｅ・４１ｅを二個の係止部４２ａ・４２ａで挟み込みながら、規制部材４２をケース部材４１に近接させる。同時に、図７（ａ）中の矢印に示す如く、固定軸４２ｃを被挿入孔４１ｄに挿入する。そして、図７（ｃ）に示す如く二個の係止部４２ａ・４２ａが支持部４１ｅ・４１ｅと係合することにより、図７（ｂ）及び（ｃ）に示す如く規制部材４２がケース部材４１に対して相対変位不能に固定される。
【００４３】
規制部材４２には、軸部材４４の変位を規制するための規制部４２ｂが形成される。規制部４２ｂの上側には被押圧部４２ｄが規制部４２ｂと一体的に形成される。規制部４２ｂ及び被押圧部４２ｄは共に弾性変形することにより、圧縮ばね４３を圧縮させた状態の軸部材４４の軸方向変位を規制する規制位置（図８を参照）と、規制位置から退避した退避位置（図９を参照）と、に変位可能とされる。図８に示す如く、規制部４２ｂは規制位置において、軸挿入孔４１ｃに挿入されている軸部材４４の他端部（図８における上端部）に当接する。このように、軸部材４４は、圧縮ばね４３を圧縮させた状態で、規制部４２ｂにより変位が規制される。
【００４４】
ヒンジ本体４を組み立てる際には、まず、ケース部材４１の軸挿入孔４１ｃに、上方から圧縮ばね４３、軸部材４４の順に挿入する。次に、規制部材４２をケース部材４１に取付ける。このとき、圧縮ばね４３はまだ伸張した状態であるため、規制部材４２の規制部４２ｂは軸部材４４の側面に当接する（図９を参照）。そして、細い棒状の工具等を軸挿入孔４１ｃに挿入し、圧縮ばね４３の弾性力に抗して軸部材４４を軸方向に押圧する。これにより、規制部４２ｂの下方に軸部材４４が入り込む。即ち、圧縮ばね４３の弾性力で上方に付勢された状態の軸部材４４の上端部に規制部４２ｂが当接する。これにより、図８に示す如く軸部材４４の軸方向の変位が規制部４２ｂによって規制された状態となる。
【００４５】
図８に示す如く、ヒンジ４は、固定板４ｂとヒンジ本体４ａとが分離する分離状態においては、規制部４２ｂが規制位置に位置することにより、軸部材４４の軸方向変位が規制される。固定板４ｂとヒンジ本体４ａとを連結状態とする際は、図８中の矢印に示す如く、固定板挿入溝４１ｆに固定板４ｂを挿入する。規制部材４２の被押圧部４２ｄが固定板４ｂに押圧されることにより、規制部４２ｂは図９に示す如く規制位置から退避した退避位置に変位する。これにより、軸部材４４の軸方向変位の規制が解除されて、軸部材４４は圧縮ばね４３の弾性力により軸方向に変位する。このため、軸部材４４が固定板４ｂに形成された固定孔４ｈに挿通され、固定板４ｂとヒンジ本体４ａとが連結状態となる。この際、軸部材４４の他端である上端は開き扉３の端面３ａに当接して変位が規制される。
【００４６】
上記の如く、本実施形態に係るロッカー１において、ヒンジ４は一つの動作のみでヒンジ本体４ａと固定板４ｂとを連結することができる。具体的には、ヒンジ本体４ａに形成された固定板挿入溝４１ｆに固定板４ｂを挿入するだけで、軸部材４４が固定孔４ｈに挿入され、ヒンジ本体４ａと固定板４ｂとを連結することができる。このため、ヒンジ４、及び、ヒンジ４を備えるロッカー１において、開き扉３を筐体に組付ける際に、固定板挿入溝４１ｆに固定板４ｂを挿入する一つの動作のみを行えば良いため、開き扉３を筐体に組付ける際の作業負担を低減することが可能となる。また、この作業は開き扉３を持ったままでも行うことが可能であるため、開き扉３をより容易に筐体に組付けることができる。
【００４７】
また、本実施形態に係るロッカー１においては、図９に示す如く、固定板４ｂとヒンジ本体４ａとが連結状態になった際に、固定板４ｂの上面が固定板挿入溝４１ｆの内周面（図９においては固定板挿入溝４１ｆの上側の面）を支持している。これにより、開き扉３の荷重を固定板４ｂで支持することができるため、軸部材４４に荷重が集中することを防止できる。即ち、ヒンジ４による開き扉３の支持強度を高めることができる。
【００４８】
また、本実施形態に係るロッカー１において、開き扉３は、筐体の開口部において、上下に設けられた二個のヒンジ４を介して連結される。これにより、開き扉３に固定された二個のヒンジ４をワンタッチで上下同時に連結することができる。このため、開き扉３を筐体に組付ける際の作業負担をさらに低減することが可能となる。
【００４９】
図４に示す如く、本実施形態に係るロッカー１において、開き扉３の後面には扉トレイ２３が固定されている。図６、図１０、及び図１１に示す如く、扉トレイ２３の上部には幅方向に拡幅された遮蔽部２３ａが形成され、遮蔽部２３ａの下側は凹部２３ｂが形成されている。図１０に示す如く、扉トレイ２３は遮蔽部２３ａにより投函口３ｗの半分以上の部分を遮蔽している。扉トレイ２３の内部には仕切り板２３ｅが形成され、扉トレイ２３の内部に小物等を収容できるように構成されている。
【００５０】
図１０に示す如く、本実施形態に係るロッカー１において、投函口３ｗのうち遮蔽部２３ａで遮蔽されない部分の横幅Ｗは、投函口３ｗに投函される郵便物等の最小幅よりも小さくなるように形成される。これにより、投函口３ｗに投函される郵便物等は遮蔽部２３ａに遮られて扉トレイ２３の内部に収容される。扉トレイ２３は、凹部２３ｂを形成することにより、内部に落下した郵便物等を使用者が取り出しやすくなるように構成されている。
【００５１】
図６に示す如く、扉トレイ２３の下部には挿入突起２３ｃが形成されている。また、扉トレイ２３の左右両側には係合部２３ｄが形成されている。一方、図６に示す如く、下辺の折り返し部３ｂには、挿入突起２３ｃを挿入するための被挿入溝３ｅが形成される。また、左辺及び右辺の折り返し部３ｂには、係合部２３ｄと係合する切り欠き部３ｆが形成されている。図６中の矢印に示す如く、挿入突起２３ｃを被挿入溝３ｅに挿入するとともに、係合部２３ｄを切り欠き部３ｆに係合させることにより、扉トレイ２３は開き扉３の後面に固定される。
【００５２】
本実施形態に係るロッカー１においては図１及び図２に示す如く、側板１３の前側端部には、開き扉３が単位収納庫２を閉塞した際にロック部材５のラッチ６と係合するラッチ受部材７が固定される。詳細には図１２（ａ）に示す如く、ラッチ受部材７の上部には前方に向かって下がるように傾斜した支持面７ａが形成される。また、ラッチ受部材７の内部には固定片７ｂ及び位置決め部７ｃが形成される。
【００５３】
一方、図１２（ａ）に示す如く、側板１３の前端部には固定片７ｂを挿入可能な第一孔部１３ａ、及び、位置決め部７ｃを挿入可能な第二孔部１３ｂが開口される。図１２（ａ）中の矢印に示す如く、第一孔部１３ａに固定片７ｂが挿入され、第二孔部１３ｂに位置決め部７ｃが挿入されることにより、ラッチ受部材７が側板１３に固定される。
【００５４】
また、本実施形態に係るロッカー１においては図１及び図２に示す如く、開き扉３のロック部材５の上側に、扉支持部材８が固定される。詳細には図１２（ｂ）に示す如く、扉支持部材８の下部には後方に向かって上がるように傾斜した当接面８ａが形成される。また、扉支持部材８の内部には挿入部８ｂが形成される。
【００５５】
一方、図１２（ｂ）に示す如く、開き扉３の折り返し部３ｂには挿入部８ｂを挿入可能な貫通孔３ｇが開口される。図１２（ｂ）中の矢印に示す如く、貫通孔３ｇに挿入部８ｂが挿入されることにより、扉支持部材８が開き扉３に固定される。
【００５６】
ラッチ受部材７の支持面７ａと、扉支持部材８の当接面８ａとは、開き扉３が自重により下方に変位した場合でも、開き扉３を閉塞した際に持ち上げることを可能としている。詳細には図１３に示す如く、開き扉３が側板１３に近接して閉塞する際に、通常の位置よりも少し下方に位置していた場合でも、扉支持部材８の当接面８ａとラッチ受部材７の支持面７ａとが当接することにより、図１３中の二点鎖線に示す如く扉支持部材８が持ち上げられる。これにより、開き扉３は上方に持ち上げられるため、開き扉３を閉塞した際には正規の箇所に位置させることができる。即ち、開き扉３が傾いて閉じられることによりロッカー１の外観における意匠性に悪影響を与えることを防止できる。
【００５７】
次に、図１４から図１８を用いて、本発明に係る収納家具の別実施形態であるロッカーに用いられるヒンジ１０４について説明する。図１４に示す如く、ヒンジ１０４は前記実施形態に係るロッカー１と同様の開き扉３に固定されるヒンジ本体１０４ａと、筐体に溶接等により固定される固定板１０４ｂとで構成される。固定板１０４ｂには、軸部材１４４が内部に挿通される固定孔１０４ｈが開口されている。固定孔１０４ｈの側方における前面には押圧部１０４ｃが形成されている。なお、本変形例における開き扉３の構成は前記実施形態と同様である。
【００５８】
ヒンジ本体１０４ａにおいては図１５（ａ）に示す如く、ヒンジ本体１０４ａを構成するケース部材１４１に第一係合爪１４１ａ及び第二係合爪１４１ｂが形成されている。そして、ヒンジ本体１０４ａが前記実施形態と同様に開き扉３の後面における隅部に挿入され、第一係合爪１４１ａが開き扉３の被係合孔３ｃに係合され、第二係合爪１４１ｂが被係合突起３ｄに係合されることにより、ヒンジ本体１０４ａが開き扉３に固定される。
【００５９】
図１４と図１５（ａ）及び（ｂ）は開き扉３の上側に設けられるヒンジ本体１０４ａを示している。図１５（ｂ）は、軸部材１４４の軸心方向と直交する断面でヒンジ本体１０４ａを切断した断面図である。なお、開き扉３の下側に設けられるヒンジ本体１０４ａについては、上下の構成が逆になっている以外は上側のヒンジ本体１０４ａと同様に構成されているため、詳細な説明を省略する。
【００６０】
図１４及び図１５に示す如く、ヒンジ本体１０４ａは、樹脂製のケース部材１４１と、ケース部材１４１の内部に収容される弾性部材である圧縮ばね１４３と、一端部（図１６及び図１７における下端部）が圧縮ばね１４３に当接した状態でケース部材１４１に収容される軸部材１４４と、規制部１４２ｂを有してケース部材１４１に固定される樹脂製の規制部材１４２と、を備えている。軸部材１４４の外側面には半径方向外側に向かって突出する突起部１４４ａが形成されている。
【００６１】
ケース部材１４１の上面には、ケース部材１４１の内部と連通する孔部１４１ｃが上下方向に開口されている。ケース部材１４１の前面には、圧縮ばね１４３及び軸部材１４４を挿入するための被挿入溝部１４１ｄが形成されている。また、図１４及び図１５に示す如く、ケース部材１４１の上下方向中途部には、規制部材１４２の係止部１４２ａと係合する二個の支持部１４１ｅ・１４１ｅが形成されている。また、ケース部材１４１において第一係合爪１４１ａが形成される面には、溝部である固定板挿入溝１４１ｆが形成される。固定板挿入溝１４１ｆは、図１６及び図１７に示す如く、ケース部材１４１の内部で孔部１４１ｃ及び被挿入溝部１４１ｄと連通している。
【００６２】
規制部材１４２をケース部材１４１に固定する際には、ケース部材１４１における支持部１４１ｅ・１４１ｅを二個の係止部１４２ａ・１４２ａで挟み込みながら、規制部材１４２をケース部材１４１に近接させる。そして、図１５（ｂ）に示す如く二個の係止部１４２ａ・１４２ａが支持部１４１ｅ・１４１ｅと係合することにより、図１４及び図１５（ａ）に示す如く規制部材１４２がケース部材１４１に対して相対変位不能に固定される。
【００６３】
図１４、図１６、及び図１８に示す如く、規制部材１４２の上部には平面視で略Ｕ字形状の弾性部１４２ｅが形成され、前後方向に弾性変形可能に構成されている。弾性部１４２ｅの後側には、軸部材１４４の変位を規制するための突起部である規制部１４２ｂが形成される。弾性部１４２ｅの後側で規制部１４２ｂの上方には被押圧部１４２ｄが規制部１４２ｂと一体的に後方に突出して形成される。弾性部１４２ｅの弾性変形により、規制部４２ｂ及び被押圧部４２ｄは前後方向に共に変位し、圧縮ばね１４３を圧縮させた状態の軸部材１４４の軸方向変位を規制する規制位置（図１６及び図１８（ａ）を参照）と、規制位置から退避した退避位置（図１７及び図１８（ｂ）を参照）と、に変位可能とされる。図１６に示す如く、規制部１４２ｂは規制位置において、被挿入溝部１４１ｄに挿入されている軸部材１４４の他端部（図１６における上端部）に当接する。このように、軸部材１４４は、圧縮ばね１４３を圧縮させた状態で、規制部１４２ｂにより変位が規制される。
【００６４】
ヒンジ本体１０４ａを組み立てる際には、まず、ケース部材１４１の被挿入溝部１４１ｄに、前方から圧縮ばね１４３及び軸部材１４４を挿入する。次に、規制部材１４２をケース部材１４１に取付ける。規制部材１４２をケース部材１４１に取付けた際には、規制部材１４２に形成されたガイド部１４２ｃが軸部材１４４の側方に配置される。このとき、圧縮ばね１４３はまだ伸張した状態であるため、規制部材１４２の規制部１４２ｂは軸部材１４４の側面に当接する（図１７を参照）。そして、細い棒状の工具等を孔部１４１ｃに挿入し、圧縮ばね１４３の弾性力に抗して軸部材１４４を軸方向に押圧する。これにより、規制部１４２ｂの下方に軸部材１４４が入り込む。即ち、圧縮ばね１４３の弾性力で上方に付勢された状態の軸部材１４４の上端部に規制部１４２ｂが当接する。これにより、図１６及び図１８（ａ）に示す如く軸部材１４４の軸方向の変位が規制部１４２ｂによって規制された状態となる。
【００６５】
図１８（ａ）に示す如く、ヒンジ１０４は、固定板１０４ｂとヒンジ本体１０４ａとが分離する分離状態においては、規制部１４２ｂが規制位置に位置することにより、軸部材１４４の軸方向変位が規制される。固定板１０４ｂとヒンジ本体１０４ａとを連結状態とする際は、図１６及び図１８（ａ）中の矢印に示す如く、固定板挿入溝１４１ｆに固定板１０４ｂを挿入する。規制部材１４２の被押圧部１４２ｄが固定板１０４ｂの押圧部１０４ｃに押圧されることにより、規制部１４２ｂは図１７及び図１８（ｂ）に示す如く規制位置から退避した退避位置に変位する。これにより、軸部材１４４の軸方向変位の規制が解除されて、軸部材１４４は圧縮ばね１４３の弾性力により軸方向に変位する。このため、軸部材１４４が固定板１０４ｂに形成された固定孔１０４ｈに挿通され、固定板１０４ｂとヒンジ本体１０４ａとが連結状態となる。この際、軸部材１４４の突起部１４４ａがケース部材１４１に当接して軸部材１４４の変位が規制される。
【００６６】
本変形例においては図１８（ａ）及び（ｂ）に示す如く、規制部材１４２における被押圧部１４２ｄと軸部材１４４とは、前後方向（開き扉３における厚さ方向）において同位置となるように配置されている。即ち、前記実施形態の如く非押圧部４２ｂを軸部材４４の前方で押圧する構成ではなく、被押圧部１４２ｂを軸部材１４４の側方で押圧する構成としている。このため、ケース部材１４１における軸部材１４４の前後位置を前記実施形態よりも前側に配置することが可能となる。これにより、本変形例に係るロッカーにおいては、前記実施形態と比較して、開き扉３を開いた際に開き扉３の前側角部が軸支側の側方へ突出する量を小さくすることを可能としている。
【００６７】
上記の如く、本変形例に係るロッカーにおいても、ヒンジ１０４は一つの動作のみでヒンジ本体１０４ａと固定板１０４ｂとを連結することができる。具体的には、ヒンジ本体１０４ａに形成された固定板挿入溝１４１ｆに固定板１０４ｂを挿入するだけで、軸部材１４４が固定孔１０４ｈに挿入され、ヒンジ本体１０４ａと固定板１０４ｂとを連結することができる。このため、ヒンジ１０４、及び、ヒンジ１０４を備えるロッカーにおいて、開き扉３を筐体に組付ける際に、固定板挿入溝１４１ｆに固定板１０４ｂを挿入する一つの動作のみを行えば良いため、開き扉３を筐体に組付ける際の作業負担を低減することが可能となる。また、この作業は開き扉３を持ったままでも行うことが可能であるため、開き扉３をより容易に筐体に組付けることができる。
【符号の説明】
【００６８】
１    ロッカー（収納家具）         ２    単位収納庫             
３    開き扉                       ３ａ  端面                   
３ｂ  折り返し部                   ３ｃ  被係合孔（第一被係合部）
３ｄ  被係合突起（第二被係合部）
３ｅ  被挿入溝                     ３ｆ  切り欠き部             
３ｇ  貫通孔                       ３ｗ  投函口                 
４    ヒンジ                       ４ａ  ヒンジ本体             
４ｂ  固定板                       ４ｈ  固定孔                 
５    ロック部材                   ６    ラッチ                 
７    ラッチ受部材                 ７ａ  支持面                 
７ｂ  固定片                       ７ｃ  位置決め部             
８    扉支持部材                   ８ａ  当接面                 
８ｂ  挿入部                     １１    天板                   
１２    ベース部材                 １３    側板                   
１３ａ  第一孔部                   １３ｂ  第二孔部               
１３ｉ  内側板                     １４    背板                   
１５    底板                       １５ａ  ケース固定孔           
１５ｂ  係合孔                     １５ｃ  孔部                   
１６    前框部                     ２１    棚部材                 
２２    ペントレイ                 ２３    扉トレイ               
２３ａ  遮蔽部                     ２３ｂ  凹部                   
２３ｃ  挿入突起                   ２３ｄ  係合部                 
２３ｅ  仕切り板                   ３０    接続ユニット           
３１    ケース部                   ３２    コンセント（接続部）   
４１    ケース部材                 ４１ａ  第一係合爪             
４１ｂ  第二係合爪                 ４１ｃ  軸挿入孔               
４１ｄ  被挿入孔                   ４１ｅ  支持部                 
４１ｆ  固定板挿入溝（溝部）       ４２    規制部材               
４２ａ  係止部                     ４２ｂ  規制部                 
４２ｃ  固定軸                     ４２ｄ  被押圧部               
４３    圧縮ばね（弾性部材）       ４４    軸部材                 
１０４    ヒンジ                   １０４ａ  ヒンジ本体             
１０４ｂ  固定板                   １０４ｃ  押圧部                 
１０４ｈ  固定孔                   １４１    ケース部材             
１４１ａ  第一係合爪               １４１ｂ  第二係合爪             
１４１ｃ  孔部                     １４１ｄ  被挿入溝部             
１４１ｅ  支持部                   １４１ｆ  固定板挿入溝（溝部）   
１４２    規制部材                 １４２ａ  係止部                 
１４２ｂ  規制部                   １４２ｃ  ガイド部               
１４２ｄ  被押圧部                 １４２ｅ  弾性部                 
１４３    圧縮ばね（弾性部材）     １４４    軸部材                 
１４４ａ  突起部                 
Ｓ    収納空間                     Ｗ    横幅                   
【図１】
2020094476.tif 000003
【図２】
2020094476.tif 000004
【図３】
2020094476.tif 000005
【図４】
2020094476.tif 000006
【図５】
2020094476.tif 000007
【図６】
2020094476.tif 000008
【図７】
2020094476.tif 000009
【図８】
2020094476.tif 000010
【図９】
2020094476.tif 000011
【図１０】
2020094476.tif 000012
【図１１】
2020094476.tif 000013
【図１２】
2020094476.tif 000014
【図１３】
2020094476.tif 000015
【図１４】
2020094476.tif 000016
【図１５】
2020094476.tif 000017
【図１６】
2020094476.tif 000018
【図１７】
2020094476.tif 000019
【図１８】
2020094476.tif 000020